(57)【要約】【課題】  液戻し筒部を有してなる下方部材と、液溜部を有してなる上方部材の接合体からなる計量キャップにおいて、使用者による計量作業性を向上すること。【解決手段】  計量キャップ１００であって、下端側に備えた注ぎ口３２が容器本体１０の口首部１１又は本体キャップ２０の内側に上方から挿入配置される液戻し筒部３１を有してなる下方部材３０と、下方部材３０の液戻し筒部に被着される有天筒状の液溜部４１を有してなる上方部材４０とを含み、上方部材４０と下方部材３０とが、下方部材３０の上部外周面の外側に上方部材４０が嵌合して接合され、上方部材４０の外周面が上下方向の全長に渡って連続面４７をなすもの。【選択図】  図１
2019018859.tif 000002
【特許請求の範囲】
【請求項１】
容器本体の口首部又は該口首部に取付けられた本体キャップに着脱可能に装着される計量キャップであって、
下端側に備えた注ぎ口が容器本体の口首部又は本体キャップの内側に上方から挿入配置される液戻し筒部を有してなる下方部材と、下方部材の液戻し筒部に被着される有天筒状の液溜部を有してなる上方部材とを含み、
上方部材と下方部材とが、下方部材の上部外周面の外側に上方部材が嵌合して接合され、
上方部材の外周面が上下方向の全長に渡って連続面をなす計量キャップ。
【請求項２】
前記下方部材と上方部材とが、下方部材の外周部に設けられた係合部と上方部材の内周部に設けられた係合部とが上下方向で係合された構造によって接合される請求項１に記載の計量キャップ。
【請求項３】
前記下方部材と上方部材とが、下方部材の外周部に設けられた係止部と上方部材の内周部に設けられた係止部とが周方向で係止された構造によって接合される請求項１又は２に記載の計量キャップ。
【請求項４】
前記下方部材における液戻し筒部の上端部が、上方部材における液溜部の天面に液密に封着される請求項１乃至３のいずれかに記載の計量キャップ。
【請求項５】
前記下方部材における液戻し筒部の上端部が、上方部材における液溜部の内周面に液密に封着される請求項１乃至３のいずれかに記載の計量キャップ。
【請求項６】
前記下方部材に設けられた雌ねじ部が、容器本体の口首部又は本体キャップに設けられた雄ねじ部に螺着される請求項１乃至５のいずれかに記載の計量キャップ。
【請求項７】
前記上方部材の液溜部に設けられた雌ねじ部が、容器本体の口首部又は本体キャップに設けられた雄ねじ部に螺着される請求項１乃至５のいずれかに記載の計量キャップ。
【請求項８】
前記下方部材における液戻し筒部の注ぎ口が、容器本体の口首部又は本体キャップの内方に向けてストレート状をなして突出される請求項１乃至７のいずれかに記載の計量キャップ。
【請求項９】
前記本体キャップへの計量キャップの装着時に、上方部材の外周面の下端部と、この上方部材の外周面の下端部に上下方向で相対向して近接する本体キャップの外周面とが連続状をなす請求項１乃至８のいずれかに記載の計量キャップ。
【発明の詳細な説明】
【技術分野】
【０００１】
本発明は計量キャップに関する。
【背景技術】
【０００２】
容器本体の口首部又は該口首部に取付けられた本体キャップに着脱可能に装着される計量キャップとして、例えば特許文献１に記載のものがある。
【０００３】
特許文献１に記載の計量キャップは、下端側に備えた注ぎ口が容器本体の口首部又は本体キャップの内側に上方から挿入配置される液戻し筒部を有してなる下方部材と、下方部材の液戻し筒部に被着される有天筒状の液溜部を有してなる上方部材とを有し、上方部材の内側に下方部材の上部外周面を嵌合し、下方部材の液戻し筒部における上部環状壁の外周面が上方部材の液溜部における下部に設けた膨出状の接合スカート部の内側に嵌め込まれて接合されている。
【０００４】
このような計量キャップは、上方部材と下方部材に分割された２部材の接合体からなるものとされ、下方部材の注ぎ口を容器本体の口首部又は本体キャップの内側に上方から挿入配置可能になる。これにより、計量した内容液を注ぎ出した後に、この計量キャップを再び容器本体の口首部又は本体キャップに装着するときに、下方部材の注ぎ口を容器本体の口首部又は本体キャップの内側に挿入配置するものになり、その注ぎ口から計量キャップの外部への液だれを生じないようにすることができる。
【０００５】
また、このような計量キャップは、上方部材と下方部材の接合体からなるものとされたから、計量キャップの成形時の型抜き性に制約されることなく、下方部材が備える注ぎ口の口径を容器本体の口首部又は本体キャップに挿入し得るように小径化した下方部材を成形可能にしながら、上方部材が形成する液溜部の直径を大径化してその液だめ容量を増大化した上方部材を成形できる。これにより、容器本体の口首部又は本体キャップの直径を徒らに拡径せずに、計量キャップの液溜部に大き目の液溜め容量を確保できる。
【０００６】
また、特許文献１に記載の計量キャップは、下方部材の液戻し筒部における上部環状壁の内周面に設けた雌ねじ部が、容器本体の口首部又は本体キャップに設けた雄ねじ部に螺着されるものとしている。
【０００７】
このような計量キャップによれば、計量した内容液の注出後に、下方部材の雌ねじ部を容器本体の口首部又は本体キャップの雄ねじ部に螺着したとき、下方部材の注ぎ口から液戻し筒部の外周面に内容液が液だれした場合でも、当該内容液が雌ねじ部に付着するのを効果的に回避できるとともに、計量キャップを着脱するときの指の汚れを回避できる。
【先行技術文献】
【特許文献】
【０００８】
【特許文献１】特開2004-238023号公報
【発明の概要】
【発明が解決しようとする課題】
【０００９】
しかしながら、特許文献１に記載の計量キャップにあっては、上方部材の液溜部における下部に設けた膨出状の接合スカート部の内側に、下方部材の液戻し筒部における上部外周壁の外周面が嵌め込まれて接合される。これにより、計量キャップは、上方部材における液溜部の外周面に、その上下方向中間部で接合スカート部が膨出していることに起因する段差部を形成するものとなっている。
【００１０】
計量キャップにおいて、上方部材における液溜部の外周面に形成される上述の段差部は、使用者によっては計量キャップを握り難く感じ、計量作業性を損なうことがある。
【００１１】
本発明の課題は、液戻し筒部を有してなる下方部材と、液溜部を有してなる上方部材の接合体からなる計量キャップにおいて、握り難さの改善によって使用者による計量作業性を向上することにある。
【課題を解決するための手段】
【００１２】
請求項１に係る発明は、容器本体の口首部又は該口首部に取付けられた本体キャップに着脱可能に装着される計量キャップであって、下端側に備えた注ぎ口が容器本体の口首部又は本体キャップの内側に上方から挿入配置される液戻し筒部を有してなる下方部材と、下方部材の液戻し筒部に被着される有天筒状の液溜部を有してなる上方部材とを含み、上方部材と下方部材とが、下方部材の上部外周面の外側に上方部材が嵌合して接合され、上方部材の外周面が上下方向の全長に渡って連続面をなすようにしたものである。
【発明の効果】
【００１３】
本発明によれば、液戻し筒部を有してなる下方部材と、液溜部を有してなる上方部材の接合体からなる計量キャップにおいて、計量キャップを握り易くするとともに、使用者による計量作業性を向上することができる。
【図面の簡単な説明】
【００１４】
【図１】図１は容器本体の口首部に取付けられた本体キャップに装着された実施例１の計量キャップを示す半断面図である。
【図２】図２は計量キャップを示す半断面図である。
【図３】図３は図１の平面図である。
【図４】図４は図１の本体キャップの側の拡大断面図である。
【図５】図５の（Ａ）は図１の計量キャップの側の拡大断面図、（Ｂ）は（Ａ）のB-B線に沿う断面図である。
【図６】図６は容器本体の口首部に取付けられた本体キャップに装着された実施例２の計量キャップを示す半断面図である。
【図７】図７は容器本体の口首部に取付けられた本体キャップに装着された実施例３の計量キャップを示す半断面図である。
【発明を実施するための形態】
【００１５】
以下、本発明をその好ましい実施形態に基づき図面を参照しながら説明する。
【００１６】
（実施例１）（図１乃至図５）
図１乃至図３に示した実施例１の計量キャップ１００は、例えば内容液として液体洗剤を収容する合成樹脂製ボトルからなる容器本体１０の口首部１１に着脱可能に装着される。計量キャップ１００は、外周面又は内周面に目盛が描かれていて、容器本体１０から注出された適量の液体洗剤を計量して洗濯機等に投入できる。
【００１７】
尚、本明細書では、容器本体１０の口首部１１に計量キャップ１００を装着した状態で、容器本体１０の側を「下」の側とし、計量キャップ１００の側を「上」の側とする。
【００１８】
本実施形態では、容器本体１０の口首部１１に本体キャップ２０が取付けられており、計量キャップ１００は本体キャップ２０に螺着されて容器本体１０の口首部１１に装着されるものとなる。
【００１９】
本体キャップ２０は、例えば特開2001-139049号公報に記載の本体キャップと概ね同様の構成を有する公知のものであり、計量キャップ１００の後述する液戻し筒部３１に備えた注ぎ口３２を上方から挿入配置されることのできる液回収用凹部２１をその内側に有する。
【００２０】
本体キャップ２０は、図４に示す如く、容器本体１０の口首部１１を覆って装着されるスカート壁部２２と、スカート壁部２２の天井部２３から上方に突出してスカート壁部２２よりも小さな径で同心状に設けられ、外周面に雄ねじ部２５が形成された雄ねじ壁部２４と、雄ねじ壁部２４の下端部から口首部１１の内周面に沿うようにして下方に延設されるとともに、斜めに傾斜する底面開口板２６を有する椀状の受け皿部２７とを有する。また、図１に示すように、この受け皿部２７の中央部分から上方に突出して設けられ、液回収用凹部２１に液戻し筒部３１を挿入配置した計量キャップ１００の装着時に、液戻し筒部３１の内側に配置される注出ノズル２８を有する。
【００２１】
スカート壁部２２は、その下端部内周面に係合用凹凸部２９を有しており、本体キャップ２０を容器本体１０の口首部１１に押込んで、この係合用凹凸部２９を口首部１１の基端部外周面に形成した被係合用凹凸部１２に係止することにより、本体キャップ２０が容器本体１０の口首部１１に装着固定される。また、雄ねじ壁部２４の雄ねじ部２５には、後述する計量キャップ１００のスカート状の環状壁３４に形成された雌ねじ部３５が螺合され、また雄ねじ壁部２４は、受け皿部２７と共にその内側に液回収用凹部２１を形成する。
【００２２】
受け皿部２７は、容器本体１０の口首部１１の内側に挿入配置される椀状部分であって、これの斜めに傾斜する底面開口板２６には、その最も低い部分に位置して液戻し開口２６Ｋが形成されている。そして計量キャップ１００を再装着した際に、計量キャップ１００から液回収用凹部２１に回収された余剰液を、この液戻し開口２６Ｋを介して容器本体１０の内部に戻すことができるようになっている。また、底面開口板２６の周縁部分から離れた中央部分には、当該底面開口板２６から雄ねじ壁部２４の上方まで突出させて注出ノズル２８が設けられている。注出ノズル２８は、例えば特開2001-139049号公報に記載の注出筒と概ね同様の形態をなしており、その基端部において底面開口板２６に開口形成した流出開口２８Ｋと連通し、計量キャップ１００の注ぎ口３２よりも断面形状が小さくなった先端注出口２８Ｌを介して、計量キャップ１００に液体洗剤をスムーズに注出することができるようになっている。
【００２３】
計量キャップ１００は、上下に分割された下方部材３０と上方部材４０の２部材で構成される。例えば下方部材３０及び上方部材４０は、いずれも、合成樹脂を射出成形して形成され、射出成形時に金型が抜き易いように設計された形状を有している。下方部材３０及び上方部材４０を形成する合成樹脂は、計量キャップ１００に注出された内容液の視認性の観点から、透明又は半透明であることが好ましい。
【００２４】
下方部材３０は、注ぎ口３２を下端側に備えた液戻し筒部３１を有する。計量キャップ１００が本体キャップ２０に装着されるとき、液戻し筒部３１の注ぎ口３２が本体キャップ２０の内側（本実施形態では本体キャップ２０の液回収用凹部２１）に上方から挿入配置される。
【００２５】
上方部材４０は、下方部材３０の液戻し筒部３１に被着される有天筒状の液溜部４１を有する。液溜部４１は、下方部材３０の液戻し筒部３１の内径Ｄ1より大きい内径Ｄ2を備える（図１）。このように計量キャップ１００を下方部材３０と上方部材４０の２部材で構成することにより、計量キャップ１００の成形時の型抜き性に制約されることなく、下方部材３０が備える注ぎ口３２の口径を本体キャップ２０に挿入し得るように小径化した下方部材３０を成形可能にしながら、上方部材４０が形成する液溜部４１の直径を大型化してその液溜め容量を増大化した上方部材４０を成形できる。従って、容器本体１０の口首部１１又は本体キャップ２０の直径を徒らに拡径せずに、計量キャップ１００の液溜部４１に大き目の液溜め容量を確保できる。
【００２６】
下方部材３０と上方部材４０とは、下方部材３０の上部外周面の外側に上方部材４０が嵌合して接合され、計量キャップ１００を構成するものになる。このようにして構成された計量キャップ１００は、本体キャップ２０への装着時に、本体キャップ２０の液回収用凹部２１に挿入配置される液戻し筒部３１と、液戻し筒部３１と連設一体化されて本体キャップ２０の上方に配置される液溜部４１とを備えるものになる。また、本体キャップ２０への装着時に、計量キャップ１００の外周面は、上方部材４０で形成されている。
【００２７】
下方部材３０は、図４、図５に示す如く、円筒状部分である液戻し筒部３１と、装着時における液戻し筒部３１の上端部から外側に張り出した環状リブ３３と、環状リブ３３の外周縁部から垂下されて液戻し筒部３１と同心状に設けられ、内周面に雌ねじ部３５を有するスカート状の環状壁３４とからなり、環状壁３４の雌ねじ部３５を本体キャップ２０における雄ねじ壁部２４の雄ねじ部２５に螺合することによって、計量キャップ１００が口首部１１に着脱可能に装着される。環状壁３４は、後述する如くに、上方部材４０における液溜部４１の下端側内周部に挿着される。
【００２８】
即ち、本実施形態では、下方部材３０の環状壁３４に設けた雌ねじ部３５が、本体キャップ２０に設けた雄ねじ部２５に螺着される。これにより、下方部材３０の雌ねじ部３５が本体キャップ２０の外側の雄ねじ部２５に、液戻し筒部３１とは離間して螺着されるものになり、計量キャップ１００によって計量した内容液の注出後に、下方部材３０の雌ねじ部３５を本体キャップ２０の雄ねじ部２５に螺着したとき、下方部材３０の注ぎ口３２から液戻し筒部３１の外周面に内容液が液だれした場合でも、当該内容液が雌ねじ部３５に付着するのを効果的に回避できるとともに、計量キャップ１００を着脱するときの指の汚れを回避できる。また、下方部材３０の雌ねじ部３５が、上方部材４０の後述するように外周で段差のない接合スカート部４２の内側に嵌合される環状壁３４に設けられるから、雌ねじ部３５が設けられる計量キャップ１００の外周を拡径させることなくコンパクトな形態とし、合成樹脂量が少なくて済む。
【００２９】
下方部材３０において、液戻し筒部３１は、環状リブ３３の下面が本体キャップ２０の雄ねじ壁部２４の上端に当接するまで計量キャップ１００を螺合装着した際に、先端の注ぎ口３２が受け皿部２７の底面開口板２６の近くに配置される長さで設けられている。また、計量キャップ１００が本体キャップ２０に螺合装着された際に、注ぎ口３２の開口周縁部に環状に形成されているリップ３２Ａは、受け皿部２７の内周面に形成された当接段差部２７Ａと密着当接するようになっており、これによって、収容された液体洗剤が、液戻し筒部３１の外側の液回収用凹部２１との間の隙間に回り込むのを防止し、シール性を向上させている。注ぎ口３２のリップ３２Ａは、受け皿部２７の当接段差部２７Ａに対する上述の密着性を向上するとともに、計量キャップ１００からの内容液の注ぎ出し時の液切れ性を向上し、液ダレ防止の効果もある。
【００３０】
また、液戻し筒部３１の注ぎ口３２は、本体キャップ２０の内方に向けてストレート状をなして突出される。これにより、下方部材３０の雌ねじ部３５を本体キャップ２０の雄ねじ部２５に螺着させるに当たって、下方部材３０における液戻し筒部３１の注ぎ口３２が本体キャップ２０の内側に挿入され始めるとき、ストレート状をなして突出する注ぎ口３２が本体キャップ２０の内側面にガイドされ、計量キャップ１００は本体キャップ２０の中心軸に対し同軸化されて、斜め化を回避され、その螺着の容易かつ確実を図ることができる。
【００３１】
下方部材３０において、環状リブ３３は、液戻し筒部３１の上端部と環状壁３４の上端部とをつなぐ円環状帯板部分であって、その下面には、コンタクトリング３６が下方に突出して設けられている。コンタクトリング３６が本体キャップ２０における雄ねじ壁部２４の上端面に圧接しつつ、計量キャップ１００が本体キャップ２０に装着されることになる。これにより、計量キャップ１００を口首部１１に装着したときに、容器本体１０の内容液の外部に対する液封性を確保できる。
【００３２】
下方部材３０は、液戻し筒部３１の上端部に設けられ、環状リブ３３の円環状帯板部分の半径方向に沿う帯板幅の中間部から上方に起立する筒状壁３７を有する。筒状壁３７は、後述する如くに、上方部材４０における液溜部４１の上端側内周部に挿着される。従って、本実施形態では、筒状壁３７は、液溜部４１の内周面を形成している。
【００３３】
上方部材４０は、図５に示す如く、有天円筒状の液溜部４１と、この液溜部４１の下端部から内径を僅かに拡径されて下方に延設された接合スカート部４２とからなる。
【００３４】
上方部材４０の液溜部４１と接合スカート部４２の各内周部には、下方部材３０の筒状壁３７と環状壁３４の各外周部が挿着される。
【００３５】
このとき、下方部材３０における筒状壁３７の下端外周部の周方向の全域（又は複数か所）にはローレット状係止部３８が設けられ、上方部材４０における液溜部４１の下端内周部の周方向の全域（又は複数か所）にはローレット状係止部４３が設けられている（図５（Ｂ））。下方部材３０の上部外周面の外側に上方部材４０を嵌合して接合するに際し、上方部材４０のローレット状係止部４３を下方部材３０のローレット状係止部３８に係止させつつ嵌め込み、下方部材３０と上方部材４０を周方向で係止させる。これにより、下方部材３０と上方部材４０は、回りにくくされた構造となり、回り止め可能に接合され、計量カップ１００における下方部材３０と上方部材４０の周方向の接合強度を確保できる。
【００３６】
尚、前述の通り、下方部材３０に設けた雌ねじ部３５が本体キャップ２０に設けた雄ねじ部２５に螺着されるとき、上述の下方部材３０のローレット状係止部３８と上方部材４０のローレット状係止部４３との周方向での係止構造は、使用者の手指によって把持された上方部材４０に加える螺動操作力の下方部材３０への伝達を確実にする。
【００３７】
また、下方部材３０における環状壁３４の下端外周部には周方向に連続する凸状係合部３９が設けられ、上方部材４０における接合スカート部４２の下端内周部には周方向に連続する凹状係合部４４が設けられている。下方部材３０の上部外周面の外側に上方部材４０を嵌合して接合するに際し、上方部材４０の接合スカート部４２の下端開口の弾性変形を介して、上方部材４０の凹状係合部４４を下方部材３０の凸状係合部３９に嵌め込んで係合させ、下方部材３０と上方部材４０を上下方向で係合させる。これにより、下方部材３０と上方部材４０は、抜けにくくされた構造となり、抜け止め可能に接合され、計量キャップ１００における下方部材３０と上方部材４０の上下方向の接合強度を確保できる。
【００３８】
計量キャップ１００にあっては、下方部材３０と上方部材４０を接合一体化したとき、下方部材３０の内周面と上方部材４０の内周面及び天面内側が液体洗剤を貯留する部分となり、下方部材３０の液戻し筒部３１及び筒状壁３７の内周面又は外周面、或いは上方部材４０の液溜部４１の内周面又は外周面には、計量用の目盛が適宜描かれる。
【００３９】
また、下方部材３０と上方部材４０を接合一体化したとき、下方部材３０における液戻し筒部３１の上端部から起立させた筒状壁３７の起立先端３７Ｋが、上方部材４０における液溜部４１の天面に設けた環状シール溝部４５Ｋに差し込まれて液密に封着される。環状シール溝部４５Ｋは、液溜部４１の天面内側に突設させた環状リブ４６が液溜部４１の上端側内周部との間に一定の環状間隙をなすことによって形成される。本実施形態では、下方部材３０における筒状壁３７の起立先端３７Ｋの内周面が、上方部材４０における液溜部４１の天面に設けた環状リブ４６の外周面に圧接して液密に封着される。これにより、計量キャップ１００を本体キャップ２０に装着したときに、容器本体１０の内容液の外部に対する液封性を確保できる。また、容器本体１０から取外した計量キャップ１００に、容器本体１０から注出される内容液を計量したときに、計量キャップ１００に計量された内容液の外部に対する液封性を確保できる。
【００４０】
しかるに、計量キャップ１００を構成する上方部材４０は、その外周面を上下方向の全長に渡って連続する連続面４７とする。本実施形態において、上方部材４０の外周面は、射出成形時に金型が抜け易いように、下端側から上端側に向って小さなテーパをなして連続する縮径状とされている。本体キャップ２０への計量キャップ１００の装着時に、上方部材４０の外周面の下端部（接合スカート部４２）は本体キャップ２０におけるスカート壁部２２の天井部２３と上下方向で小隙間を介して相対向し、それらの相対向して近接する接合スカート部４２と天井部２３の両外径が概ね同一をなすように設定されている（図４）。これにより、接合スカート部４２と天井部２３とは上下方向で連続状をなすものになる。
【００４１】
即ち、計量キャップ１００において、上方部材４０の液溜部４１の外周面と接合スカート部４２の外周面とは上下方向に段差なく、下方部材３０の上部外周面の外側に嵌合して接合される上方部材４０の外周面が上下方向の全長に渡る連続面４７をなし、段差部を形成しない。従って、使用者による計量キャップ１００の握り込みに際し、使用者は上方部材４０の上下方向の全長に渡って段差部のない連続面４７に手指を当てて、該上方部材４０をつかむことになる。計量キャップ１００の外周の段差部に手指を当ててつかむものに比し、握り込み易くなり、使用者による計量作業性を向上できる。
【００４２】
また、上方部材４０の外周面が段差部のない連続面４７とされることから、上方部材４０が有する液溜部４１の上端側乃至下端側を含む複数か所に対する計量目盛の同時印字作業性が向上する。即ち、計量キャップ１００における液溜部４１の上端側乃至下端側の広い範囲の各所に対する目盛の付与が容易になり、使用者による計量作業性を向上できる。
【００４３】
また、計量キャップ１００が本体キャップ２０に螺着されたとき、計量キャップ１００の上方部材４０の下部に設けた接合スカート部４２と、本体キャップ２０とが概ね同一外径をなすように設定されていて、上方部材４０における外周面に段差部のない連続面４７の存在が計量キャップ１００と本体キャップ２０との一体感を高める。
【００４４】
尚、上方部材４０は、その外周面の複数か所（図３では３か所）に、ローレット４８を設け、計量キャップ１００を本体キャップ２０における雄ねじ壁部２４の雄ねじ部２５に螺合するための使用者の螺動操作力を上方部材４０の外周面に容易に付与可能にしている。
【００４５】
（実施例２）（図６）
実施例２の計量キャップ２００が、実施例１の計量キャップ１００と異なる点は、下方部材３０における液戻し筒部３１の上端部から起立させた筒状壁３７の起立先端３７Ｌの内周突状部が、上方部材４０における液溜部４１の上端寄り中間部の内周面に凹設した環状シール溝部４５Ｌに嵌合して液密に封着されたことにある。
【００４６】
これにより、計量キャップ２００を本体キャップ２０に装着したときに、容器本体１０の内容液の外部に対する液封性を確保できる。また、容器本体１０から取外した計量キャップ２００に、容器本体１０から注出される内容液を計量したときに、計量キャップ２００に計量された内容液の外部に対する液封性を確保できる。
【００４７】
（実施例３）（図７）
実施例３の計量キャップ３００が、実施例１の計量キャップ１００と異なる点は、計量キャップ１００において下方部材３０における環状リブ３３の外周縁部から垂下されていた環状壁３４及び雌ねじ部３５を撤去したことにある。
【００４８】
これに伴い、下方部材３０と上方部材４０とは、下方部材３０における環状リブ３３の外周縁部に形成した環状係合部５１と、上方部材４０における接合スカート部４２の上端内周部に設けた環状係合溝部５２とを係合する構造によって、抜けにくくされた構造となり、抜け止め可能に接合された。下方部材３０の環状係合部５１と上方部材４０の環状係合溝部５２は、上方部材４０における接合スカート部４２の開口の弾性変形を介して嵌め込まれて係合される。これにより、計量キャップ３００における下方部材３０と上方部材４０の上下方向の接合強度を確保できる。
【００４９】
また、計量キャップ３００と本体キャップ２０とは、上方部材４０の液溜部４１の下端部から延設させた接合スカート部４２の内周面に設けた雌ねじ部５３が、本体キャップ２０に設けた雄ねじ部２５に螺着されるものとした。これにより、計量キャップ３００によって計量した内容液の注出後に、上方部材４０の雌ねじ部５３を本体キャップ２０の雄ねじ部２５に螺着したとき、下方部材３０の注ぎ口３２から液戻し筒部３１の外周面に内容液が液だれした場合でも、当該内容液が雌ねじ部５３に付着するのを効果的に回避できるとともに、計量キャップ３００を着脱するときの指の汚れを回避できる。
【００５０】
尚、本発明は上記各実施形態に限定されることなく種々の変更が可能である。例えば、計量キャップの下方部材や上方部材は円筒形状のものである必要は必ずしもなく、また雄ねじ部や雌ねじ部を介して口首部や本体キャップに螺合装着されるものである必要は必ずしもない。更に、計量キャップは本体キャップを介在させることなく口首部に直接装着されるものであっても良く、本体キャップに注出ノズルが設けられている必要は必ずしもない。また、実施例２について、実施例３のように環状壁３４及び雌ねじ部３５を撤去し、下方部材３０と上方部材４０とは、下方部材３０における環状リブ３３の外周縁部に形成した環状係合部５１と、上方部材４０における接合スカート部４２の上端内周部に設けた環状係合溝部５２とを係合する構造によって、抜け止め可能に接合しても良い。
【００５１】
また、容器本体に収容される内容液は、特に制限はなく、液体洗剤の他、柔軟剤、漂白剤等の計量を必要とするその他の種々の液体製品であっても良い。
【産業上の利用可能性】
【００５２】
本発明によれば、液戻し筒部を有してなる下方部材と、液溜部を有してなる上方部材の接合体からなる計量キャップにおいて、使用者による計量作業性を向上することができる。
【符号の説明】
【００５３】
１００、２００、３００  計量キャップ
１０  容器本体
１１  口首部
２０  本体キャップ
２５  雄ねじ部
３０  下方部材
３１  液戻し筒部
３２  注ぎ口
３５  雌ねじ部
３７  筒状壁
３７Ｋ、３７Ｌ  起立先端
３８  係止部
３９  係合部
４０  上方部材
４１  液溜部
４２  接合スカート部
４３  係止部
４４  係合部
４５Ｋ、４５Ｌ  シール溝部
４７  連続面
５１  係合部
５２  係合溝部（係合部）
【図１】
2019018859.tif 000003
【図２】
2019018859.tif 000004
【図３】
2019018859.tif 000005
【図４】
2019018859.tif 000006
【図５】
2019018859.tif 000007
【図６】
2019018859.tif 000008
【図７】
2019018859.tif 000009